(57)【要約】【課題】外面が汚れたときにその汚れを容易に除去することができ、かつ、外面の意匠を好みに応じて変更することができるようにした折畳自在の収納ボックスを提供する。【解決手段】折畳自在の形状保持体１の外面を可撓性を備えた被覆体９により被覆し、該被覆体９を該形状保持体１に対し着脱自在としたことを特徴とする折畳自在の収納ボックス。形状保持体１は、厚紙、合成樹脂、針金等により形成する。被覆体９は、布、和紙等の紙、フィルム等の可撓性を備えた材料により形成する。被覆体９は、固定手段１１により、形状保持体１の外面に着脱自在に取り付ける。固定手段１１としては、面ファスナー、ホック等を用いる。【選択図】図１
2006219155.tif 000002
【特許請求の範囲】
【請求項１】
折畳自在の形状保持体の外面を可撓性を備えた被覆体により被覆し、該被覆体を該形状保持体に対し着脱自在としたことを特徴とする折畳自在の収納ボックス。
【発明の詳細な説明】
【技術分野】
【０００１】
本発明は、折畳自在の収納ボックスに関するものであり、特に、テレビジョン等のリモートコントロール装置、携帯電話機、眼鏡、衣類、玩具、化粧品、菓子、ゴミ等を収納する折畳自在の収納ボックスに係るものである。
【背景技術】
【０００２】
厚紙等により形成された折畳自在の収納ボックスは、既に知られている。
【０００３】
実開平５−６８９０７号公報は、折畳自在の収納ボックス（ゴミ箱）を開示している。この収納ボックスは、ボックス本体をコンパクトに折り畳むことにより、携帯することができるようにしたものである。
【特許文献１】実開平５−６８９０７号公報
【発明の開示】
【発明が解決しようとする課題】
【０００４】
上記従来の折畳自在の収納ボックスは、外面が汚れたときにその汚れを除去することが困難であり、また、外面の意匠を変更することができないという問題がある。
【０００５】
本発明は、このような問題を解決し、外面が汚れたときにその汚れを容易に除去することができ、かつ、外面の意匠を好みに応じて変更することができるようにした折畳自在の収納ボックスを提供しようとしてなされたものである。
【課題を解決するための手段】
【０００６】
上記課題を解決するために、本発明は下記の折畳自在の収納ボックスを提供するものである。
【０００７】
折畳自在の形状保持体の外面を可撓性を備えた被覆体により被覆し、該被覆体を該形状保持体に対し着脱自在としたことを特徴とする折畳自在の収納ボックス。
【０００８】
［発明の作用］
折畳自在の形状保持体内には、必要に応じて、テレビジョン等のリモートコントロール装置、携帯電話機、眼鏡、衣類、玩具、化粧品、菓子、ゴミ等を収納する。
【０００９】
収納ボックスは、被覆体を取り付けたままの状態で、折り畳むことができる。また、被覆体を形状保持体から取り外し、被覆体と収納ボックスとを各別に折り畳むこともできる。
【００１０】
被覆体が汚れたときには、該被覆体を形状保持体から取り外し、該被覆体の汚れを適宜洗濯等により除去し、該被覆体を再び形状保持体の外面に取り付けることができる。
【００１１】
また、被覆体が汚れたとき或いは被覆体の外面の意匠を変えたいときには、該被覆体を形状保持体から取り外し、別の被覆体を形状保持体の外面に取り付けることもできる。
【００１２】
更に、被覆体が汚れたとき或いは被覆体の外面の意匠を変えたいときには、該被覆体を形状保持体から取り外し、該被覆体を表裏反転させて裏面を表に出した状態で該被覆体を再び形状保持体の外面に取り付けることもできる。
【発明の効果】
【００１３】
本発明の収納ボックスは、折畳自在でありながら、形状保持体の外面を可撓性を備えた被覆体により被覆し、該被覆体を形状保持体に対し着脱自在としたため、次のような効果を発揮する。
【００１４】
（１）被覆体が汚れたときには、該被覆体を形状保持体から取り外し、該被覆体の汚れを適宜洗濯等により除去し、該被覆体を再び形状保持体の外面に取り付けることができる。
【００１５】
（２）被覆体が汚れたとき或いは被覆体の外面の意匠を変えたいときには、該被覆体を形状保持体から取り外し、別の被覆体を形状保持体の外面に取り付けることができる。
【００１６】
（３）被覆体が汚れたとき或いは被覆体の外面の意匠を変えたいときには、該被覆体を形状保持体から取り外し、該被覆体を表裏反転させて裏面を表に出した状態で該被覆体を再び形状保持体の外面に取り付けることができる。
【発明を実施するための最良の形態】
【００１７】
符号１に示すものは、折畳自在の形状保持体である。
【００１８】
折畳自在の形状保持体１は、収納ボックスのいわば芯材となるものであり、収納ボックスに所定の形状を保持させ得るものであればいかなるものであってもよい。
【００１９】
形状保持体１は、例えば、厚紙、合成樹脂、針金等により形成する。
【００２０】
形状保持体１は、折畳自在とする。図示の事例における形状保持体１は、上面を開口した箱状体をなし、相対向する一対の側壁部３、３を折り曲げ部３ａ、３ａに沿って折り曲げることにより、折畳自在としている。
【００２１】
図２に示す事例においては、形状保持体１の底部５は、形状保持体１に対し着脱自在である。
【００２２】
図３に示す事例においては、形状保持体１の底部５の一縁５ａを折り曲げ部３ａを有しない一方の側壁部７の下縁７ａに枢着することにより、該底部５を形状保持体１に対し上下方向に回動自在としている。
【００２３】
形状保持体１の外面を可撓性を備えた柔軟な被覆体９により被覆し、該被覆体９を形状保持体１に対し着脱自在となす。
【００２４】
被覆体９は、例えば布、和紙等の紙、フィルム等の可撓性を備えた柔軟な材料により形成する。
【００２５】
被覆体９は、固定手段１１により、形状保持体１の外面に着脱自在に取り付ける。
【００２６】
図示の事例においては、固定手段１１として面ファスナーを用いているが、固定手段１１としてホック等を用いても差し支えない。
【００２７】
図１、図２、図３、図６に示す事例においては、形状保持体１における側壁部３、３、７、７の上縁外面と被覆体９における対応部内面とにそれぞれ相対応する面ファスナー構成体１１ａ、１１ｂを設け、当該各面ファスナー構成体１１ａ、１１ｂを相互に係合させることにより、被覆体９を形状保持体１の外面に着脱自在に取り付けている。
【００２８】
図７に示す事例においては、形状保持体１における側壁部３、３、７、７の上縁内面にそれぞれ面ファスナー構成体１１ａを備えさせ、被覆体９における対応外面にそれぞれ面ファスナー保持体１１ｃを取り付け、当該各面ファスナー保持体１１ｃに面ファスナー構成体１１ｂを備えさせ、各面ファスナー保持体１１ｃの面ファスナー構成体１１ｂと各側壁部３、３、７、７における上縁内面の面ファスナー構成体１１ａとを相互に係合させることにより、被覆体９を形状保持体１の外面に着脱自在に取り付けてもよい。
【００２９】
なお、図７に示す事例において、面ファスナー保持体１１ｃ自体に面ファスナー構成体１１ｂの機能を持たせても差し支えない。
【図面の簡単な説明】
【００３０】
【図１】本発明による収納ボックスの一例を示す斜視図である。
【図２】同上収納ボックスにおける形状保持体から底部と被覆体とを取り外した状態を示す断面図である。
【図３】形状保持体の底部の一縁を折り曲げ部を有しない一方の側壁部の下縁に枢着した事例を示す断面図である。
【図４】同上収納ボックスの平面図である。
【図５】形状保持体を折り畳んだ状態を示す平面図である。
【図６】固定手段の一例を示す断面図である。
【図７】固定手段の別の一例を示す断面図である。
【符号の説明】
【００３１】
１  形状保持体
３  側壁部
３ａ  折り曲げ部
５  底部
５ａ  一縁
７  側壁部
７ａ  下縁
９  被覆体
１１  固定手段
１１ａ  面ファスナー構成体
１１ｂ  面ファスナー構成体
１１ｃ  面ファスナー保持体
【図１】
2006219155.tif 000003
【図２】
2006219155.tif 000004
【図３】
2006219155.tif 000005
【図４】
2006219155.tif 000006
【図５】
2006219155.tif 000007
【図６】
2006219155.tif 000008
【図７】
2006219155.tif 000009